(57)【要約】    【課題】 浮止具の着脱作業を要することなく、仕掛けの態様を半遊動と全遊動との間で自在に変更することができる浮きの提供。    【解決手段】この浮き２０は、浮き本体２２と、内径調整部材２３と、これの姿勢を変化させる姿勢変化機構２７とを備える。浮き本体２３は、糸挿通孔２１を有し、これに連続する空間３１に内径調整部材２３が嵌め込まれている。内径調整部材２３には、内径の異なる貫通孔２４〜２６が設けられている。各貫通孔２４〜２６は、選択的に糸挿通孔２１と連津される。釣人は、内径調整部材２３を空間３１に対して抜き差しすることによって、糸挿通孔２１と連通する貫通孔２４〜２６を選択する。内径調整部材２３は、所定の摩擦力で空間３１に嵌め込まれる。【選択図】図１
2005168403.tif 000002
【特許請求の範囲】
【請求項１】
釣糸が挿通される糸挿通孔が設けられ、当該糸挿通孔の少なくとも一部の内径を変化させる内径調整機構を備えた釣用浮き。
【請求項２】
釣糸が挿通される糸挿通孔が軸方向に沿って貫通形成された浮き本体と、
糸挿通孔に連続して浮き本体内部に形成された収容凹部と、
内径の異なる複数の貫通孔が設けられ、収容凹部に収容された内径調整部材と、
各貫通孔が上記糸挿通孔と連通するように収容凹部内での内径調整部材の姿勢を変化させる姿勢変化機構とを備える釣用浮き。
【請求項３】
上記姿勢変化機構は、
上記内径調整部材が上記収容凹部に回転可能に嵌め込まれ、両者間が所定の摩擦力が生じるように所定のはめあい公差で嵌合された構造により実現されている請求項２に記載の釣用浮き。
【請求項４】
上記姿勢変化機構は、
上記内径調整部材が多面体形状に形成され、
上記収容凹部の内壁面形状が上記内径調整部材を囲繞して保持するように形成されており、
上記内径調整部材は、上記収容凹部に着脱可能に嵌め込まれた構造により実現されている請求項２に記載の釣用浮き。
【発明の詳細な説明】
【技術分野】
【０００１】
本発明は、釣りの際に使用される浮きの構造に関するものである。
【背景技術】
【０００２】
釣りのジャンルに「浮き釣り」というものがある。浮き釣りは、文字通り「浮き」と称されるアイテムを用いて魚を釣ろうとするものである。図８は、一般的な浮き釣りの仕掛けによる釣りの様子を示す模式図である。
【０００３】
同図が示すように浮き釣りでは、仕掛け１は、道糸２と、連結具７（通常「サルカン」と称される。）を介して道糸２に連結されたハリス３と、ハリス３の先端に設けられた釣針４と、道糸２に装着された浮き５とを有する。浮き５はいわゆる中通しタイプのものであって、道糸２が浮き５の内部に挿通されている（例えば、非特許文献１参照）。これにより、浮き５は、道糸２に沿って自在にスライドすることができるようになっている。ただし、一般に道糸２には浮止具８が設けられ、したがって浮き５は、サルカン７と浮止具８との間でスライドする。
【０００４】
このように構成された仕掛け１が海中に投入されると、釣針４、ハリス３、サルカン７等に作用する重力によって釣針４等が海中に沈んでいき、道糸２が海面６に浮かんだ浮き５に対して相対的に矢印１０の方向に沿ってスライドする。そして、図９が示すように、道糸２に設けられた浮止具８が浮き５に当接した時点で、当該仕掛け１が海中で安定する。この状態において、浮き５から釣針４までの距離は、特に「タナ」と称される。このタナは、釣人が予想する魚のヒットポイントであり、このタナの調整（すなわち、浮止具８の位置調整）が釣果の善し悪しに大きく影響する。なお、仕掛け１が海中で安定的に配置されるために、ハリス３には、錘９（通常「ガン玉」と称される。）が適宜装着されることもある。
【０００５】
ところで、釣人の経験上、釣り場の状況（潮流速度、波及び風の強さ、魚の活性の程度等）によっては、上記タナが設定されない方が良い釣果が得られる場合がある。そのような場合には、上記浮止具８が取り外され、仕掛け１がどこまでも沈むように設定される。これにより、エサが取り付けられた釣針４は、理論上では海面６から海底まで移動されることになるから、魚のバイトの確率が高められる。このような仕掛けの態様は、「全遊動仕掛け」と定義され、これに対して上記浮止具８が使用される仕掛けの態様は、「半遊動仕掛け」と定義される。
【０００６】
【非特許文献１】株式会社シマノ  ２００３年  ウキ釣りガイドブック
【発明の開示】
【発明が解決しようとする課題】
【０００７】
このように、釣り場の状況に応じて半遊動仕掛け又は全遊動仕掛けが用いられるのであるが、釣り場の状況は刻々と変化するものであり、特に潮流速度や風の強さは、常に変化するものである。したがって、実釣においては、半遊動仕掛けから全遊動仕掛けに、また、全遊動仕掛けから半遊動仕掛けに変更されるのが好ましい状況が繰り返される場合も少なくない。
【０００８】
しかしながら、仕掛けの態様が半遊動と全遊動との間で交換されるためには、浮止具８の着脱作業及び浮き５の交換作業のうち少なくともいずれか一方が必要であり、実釣時におけるこのような作業は、釣人にとって非常に煩わしいものである。特に制限時間内で釣果を競う競技会等においては、かかる仕掛けの交換作業が如何に迅速に行われるかによって勝敗に大きく影響する。
【０００９】
そこで、本発明の目的は、浮止具の着脱及び浮きの交換等の作業を要することなく、仕掛けの態様を半遊動と全遊動との間で自在に変更することができる釣用浮きを提供することである。
【課題を解決するための手段】
【００１０】
(1) 上記目的が達成されるため、本発明に係る釣用浮きは、釣糸が挿通される糸挿通孔が設けられ、当該糸挿通孔の少なくとも一部の内径を変化させる内径調整機構を備えたことを特徴とするものである。
【００１１】
この構成では、内径調整機構により、糸挿通孔の内径が変化する。糸挿通孔の内径が大きく設定された場合は、釣糸に浮止具が装着されていたとしても当該浮止具が糸挿通孔を挿通することができるので、当該仕掛けは、全遊動タイプのものとして構成され得る。一方、糸挿通孔の内径が小さく設定された場合は、浮止具は糸挿通孔を挿通することができないので、当該仕掛けは、半遊動タイプのものとして構成され得る。
【００１２】
(2) また、上記目的が達成されるため、本発明に係る釣用浮きは、釣糸が挿通される糸挿通孔が軸方向に沿って貫通形成された浮き本体と、糸挿通孔に連続して浮き本体内部に形成された収容凹部と、内径の異なる複数の貫通孔が設けられ、収容凹部に収容された内径調整部材と、各貫通孔が上記糸挿通孔と連通するように収容凹部内での内径調整部材の姿勢を変化させる姿勢変化機構とを備えたことを特徴とするものである。
【００１３】
この構成によれば、浮き本体の収容凹部に内径調整部材が収容され、この内径調整部材は、姿勢変化機構を介して収容凹部内で姿勢変化することができる。内径調整部材には内径の異なる複数の貫通孔が形成されているから、内径調整部材の姿勢が変化されることによって、内径調整部材に設けられた複数の貫通孔のうちのいずれか一の貫通孔が糸挿通孔と連通する。したがって、内径の大きい貫通孔が糸挿通孔と連通した状態では、釣糸に浮止具が装着されていたとしても当該浮止具が糸挿通孔を挿通することができるので、当該仕掛けは、全遊動タイプのものとして構成され得る。一方、内径の小さい貫通孔が糸挿通孔と連通した状態では、浮止具は当該貫通孔を挿通することがでいないので、当該仕掛けは、半遊動タイプのものとして構成され得る。
【００１４】
(3) 上記姿勢変化機構は、上記内径調整部材が上記収容凹部に回転可能に嵌め込まれ、両者間が所定の摩擦力が生じるように所定のはめあい公差で嵌合された構造により実現される。この構成では、内径調整部材が収容凹部内で回転されることによって、上記複数の貫通孔のうち釣人が所望するものと糸挿通孔とが連通する。すなわち、糸挿通孔と連通する貫通孔の内径が調整される。この場合、内径調整部材と収容凹部との間には所定の摩擦力が生じるから、内径調整部材は、釣人が意図的に回転させようとしない限り回転することはない。したがって、貫通孔の内径が釣人にとって不用意に変化されることはない。
【００１５】
また、上記姿勢変化機構は、上記内径調整部材が多面体形状に形成され、上記収容凹部の内壁面形状が上記内径調整部材を囲繞して保持するように形成されており、上記内径調整部材は、上記収容凹部に着脱可能に嵌め込まれた構造により実現される。この構成では、釣人は、収容凹部から内径調整部材を抜き取り、その向きを異ならせて再び当該収容凹部に嵌め込むことによって、上記複数の貫通孔のうち釣人が所望するものと糸挿通孔とが連通する。すなわち、糸挿通孔と連通する貫通孔の内径が調整される。この場合、内径調整部材が多面体形状に形成されており、しかも収容凹部が当該多面体形状に対応する内壁面形状に形成されているから、内径調整部材が収容凹部内で位置決めされる。したがって、釣人が意図的に内径調整部材を挿抜しない限り、貫通孔の内径が変化することはない。
【発明の効果】
【００１６】
以上のように本発明によれば、釣糸が挿通される糸挿通孔の内径が拡縮されることによって、仕掛けの態様が全遊動と半遊動との間で自在に変更される。しかも、仕掛けの態様が変更される際には、釣用浮きの交換作業や浮止具の着脱作業が不要であるから、釣人は、簡単かつ迅速に仕掛けの態様を変更することができる。
【発明を実施するための最良の形態】
【００１７】
以下、適宜図面が参照されつつ、好ましい実施形態に基づいて本発明が詳細に説明される。
【００１８】
図１は、本発明の第１の実施形態に係る釣用浮き（以下、単に「浮き」と称される。）２０の一部断面分解図である。
この浮き２０は、いわゆる中通しタイプのものであって、例えばフカセ釣りに使用される。浮き２０は、糸挿通孔２１が設けられた浮き本体２２と、糸挿通孔２１の内径を調整するための内径調整部材２３とを備えている。
【００１９】
本実施形態の特徴とするところは、内径調整部材２３は、後に詳述される姿勢変化機構２７を介して浮き本体２２に対して姿勢変化可能となっている点、及び内径調整部材２３には内径の異なる３つの貫通孔２４、２５、２６が設けられており、内径調整部材２３が姿勢変化されることにより、各貫通孔２４〜２６は、選択的に上記糸挿通孔２１と連通するようになっている点であり、これにより、釣糸が挿通する糸挿通孔２１の内径が拡縮されるようになっている。
【００２０】
浮き本体２２は、例えば木材や樹脂等により構成され、本実施形態では、略紡錘形に形成されている。ただし、浮き本体２２の外形形状はかかる紡錘形に限定されるものではなく、円錐形等さまざまな形状が採用され得る。浮き本体２２には、その長手方向中心軸に沿って貫通する孔３２、３３が形成されている。これら孔３２、３３の内径は異なっており、同図が示すように、小径の孔３２に対して大径の孔３３が連続するように設けられている。
【００２１】
上記孔３２には、スリーブ２８が嵌め込まれている。このスリーブ２８は、樹脂、金属等により構成されており、円筒状に形成されている。スリーブ２８の外径寸法は、孔３２の内径寸法に対応されており、スリーブ２８は、浮き本体２２に隙間無くぴったりと嵌め込まれている。なお、このスリーブ２８は、釣糸が滑らかに挿通されることを目的として設けられているが、スリーブ２８は省略されていてもよい。
【００２２】
また、上記孔３３には、浮力調整用錘２９が嵌め込まれている。浮力調整用錘２９は、真鍮、鉛、タングステン合金等の比較的比重が大きい金属からなり、略円盤状に形成されている。この浮力調整用錘２９には、その厚み方向（同図では上下方向）に沿って正方形の孔３０が設けられている。そして、上記孔３３に嵌め込まれた浮力調整用錘２９の内壁面（すなわち、上記孔３０の内壁面）によって空間３１（収容凹部）が区画されている。この空間３１は、各辺の寸法がａである立方体状に形成されている。したがって、上記スリーブ２８の内部空間及び上記空間３１によって、釣糸が挿通される糸挿通孔２１が貫通形成されていることになり、上記内径調整部材２３は、当該空間３１内に嵌め込まれている。
【００２３】
内径調整部材２３は、樹脂、木材、金属等により構成され、一辺の寸法がａである立方体に形成されている。ただし、内径調整部材２３の各辺の寸法と上記空間３１を区画する壁面の寸法とは、所定のはめあい公差となるように設定されている。したがって、内径調整部材２３は、上記空間３１に着脱可能に嵌め込まれるが、嵌め込まれた状態で両者間に一定の摩擦力が生じ、その結果、内径調整部材２３は、浮き本体２２に一定の保持力で保持されるようになっている。つまり、上記空間３１の内壁面形状が内径調整部材２３の外形形状に対応されることによって、上記姿勢変化機構２７が構成され、これにより、内径調整部材２３は、浮き本体２２に対してその向き（姿勢）を変化させることができる。
【００２４】
具体的には、姿勢変化機構２７によって、内径調整部材２３は、貫通孔２４〜２６のうち、釣人が所望するいずれか一の貫通孔が上記糸挿通孔２１と連通する姿勢をとることができる。換言すれば、上記糸挿通孔２１と連通する貫通孔２４〜２６が姿勢変化機構２７によって変更されるが、このことは糸挿通孔２１の内径が変化されることを意味する。したがって、姿勢変化機構２７は、糸挿通孔２１の内径を調整する内径調整機構として機能する。
【００２５】
内径調整部材２３には、上記３つの貫通孔２４〜２６が設けられている。各貫通孔２４〜２６は、内径調整部材２３の互いに対向する周面間を貫通している。また、各貫通孔２４〜２６の内径寸法は適宜設定され得るものであるが、本実施形態では、貫通孔２４の内径寸法は、１．０ｍｍ〜１．２ｍｍに設定され、貫通孔２５の内径寸法は、１．５ｍｍ〜２．０ｍｍに設定され、貫通孔２６の内径寸法は、２．０ｍｍ〜２．５ｍｍに設定されている。もっとも、貫通孔２４〜２６の内径寸法はこれに限定されるものではない。各貫通孔２４〜２６の内径寸法が異なっていることは、後述されるように、釣糸に設けられる浮止具が挿通可能か否かを決定する。
【００２６】
図２及び図３は、この浮き２０の断面図であり、浮き２０が釣用仕掛けに使用された状態が示されている。図２は、内径調整部材２３の貫通孔２４が糸挿通孔２１と連通された状態を示し、図３は、内径調整部材２３の貫通孔２６が糸挿通孔２１と連通された状態を示している。
【００２７】
図２が示すように、上記貫通孔２４が糸挿通孔２１と連通された状態では、釣糸３５が糸挿通孔２１に挿通されるが、釣糸２５が浮き２０に対して相対的にスライドすると、釣糸３５に設けられた浮止具３４が内径調整部材２３に当接する。このとき、内径調整部材２３の貫通孔２４の内径寸法が小さいことから、浮止具３４は、貫通孔２４を挿通することができない。したがって、当該仕掛けは、半遊動タイプとなる。
【００２８】
また、釣人は、この状態から内径調整部材２３を浮き本体２２から取り外すことができる。具体的には、釣人は、例えば細長の棒を糸挿通孔２１の上方から挿入し、内径調整部材２３を下方へ押す。これにより、内径調整部材２３は、上記空間３１から外れる。そして、釣人は、内径調整部材２３の向きを変えて（姿勢を変えて）、貫通孔２６が糸挿通孔２１と連通するように再び上記空間３１に嵌め込む。これにより、図３が示すように糸挿通孔２１と貫通孔２６とが連通するが、貫通孔２６の内径寸法は大きく設定されているので、上記浮止具３４は、貫通孔２６を挿通することができる。したがって、当該仕掛けは、全遊動タイプとなる。
【００２９】
このように本実施形態に係る浮き２０では、内径調整部材２３が姿勢変化機構２７を介して姿勢変化され、糸挿通孔２１の内径が変化されるので、釣糸３５に設けられた浮止具３４が糸挿通孔２１を挿通できる態様と、挿通できない態様とに使い分けられる。つまり、単一の浮き２０によって、釣用仕掛けは、半遊動タイプと全遊動タイプに使い分けられ、しかも、仕掛けの態様の変更は、浮止具３４の着脱作業を要することなく簡単且つ迅速に行われる。
【００３０】
特に本実施形態では、上記姿勢変化機構２７は、内径調整部材２３が立方体形状に形成されると共に、これに対応して上記空間３１を構成する内壁面形状が決定されることにより構成されているから、当該姿勢変化機構２７の構造がきわめて簡単である。したがって、浮き２０の構造が格別複雑になることはなく、釣人は、上記空間３１から内径調整部材２３を抜き取り、その向きを異ならせて再び当該空間３１に嵌め込むだけで簡単に糸挿通孔２１の内径を変化させることができるという利点がある。
【００３１】
なお、本実施形態では、内径調整部材２３は立方体状に形成されているが、かかる形状に限定されるものではなく、内径調整部材２３は、多面体（好ましくは正多面体）形状に形成されていてもよい。この場合、内径調整部材が囲繞保持される空間も内径調整部材の外形形状に対応して変更されるのが好ましい。要するに、内径調整部材２３の外形形状が多面体形状であれば、これを収容する空間３１に位置決めされ得るので、内径調整部材２３の姿勢保持が実現され、姿勢変化が許容される。また、本実施形態では、内径調整部材２３は、糸挿通孔２１の下方（ウキ本体２２の下部）に配置されるが、糸挿通孔２１の上方（ウキ本体２２の上部）に配置されてもよいことは勿論である。
【００３２】
次に、本実施形態の変形例について説明される。
図４は、本実施形態の第１の変形例に係る浮き４０の断面図である。
【００３３】
この変形例に係る浮き４０が上記実施形態に係る浮き２０と異なるところは、上記浮き２０では、内径調整部材２３の姿勢を変化させる際に釣人は細長の棒等を使用したが、本変形例に係る浮き４０では、釣人が内径調整部材２３を手で把持することができるようになっている点である。なお、その他の構成については、上記浮き２０と同様である。
【００３４】
具体的には、内径調整部材２３が嵌め込まれる空間４１の深さ寸法が内径調整部材４１の各辺の寸法ａよりも小さく設定されている。これにより、空間４１に嵌め込まれた内径調整部材２３は、その下部４２が浮き本体２２から突出する。釣人は、この突出した部分を把持することができるので、内径調整部材２３の姿勢をより簡単に変更することができ、その結果、仕掛けの態様の変更もより簡単且つ迅速に行うことができる。なお、釣人が内径調整部材２３をより確実に把持するために、内径調整部材２３に突起等の摘みが設けられていてもよい。
【００３５】
また、図５は、本実施形態の第２の変形例に係る浮き５０の一部断面分解図である。
この変形例に係る浮き５０が上記実施形態に係る浮き２０と異なるところは、上記浮き２０では、浮き２０の浮力を調整するために浮力調整用錘２６が設けられていたのに対し、本変形例に係る浮き５０では、内径調整部材５１が鉛やタングステン合金等の比較的比重の大きい金属から構成され、浮力調整用錘を兼ねている点である。なお、その他の構成については、上記浮き２０と同様である。
【００３６】
このように、内径調整部材５１が浮力調整用錘を兼ねることによって、浮き５０の構造はさらに簡単なものとなる。これにより、浮き５０の製造コストは、一層低減され得るという利点がある。もっとも、本変形例においても、上記第１の変形例と同様に、釣人が内径調整部材５１を把持することができるような構造が採用され得ることは勿論である。
【００３７】
＜第２の実施形態＞
次に、本発明の第２の実施形態形態について説明される。
図６は、本発明の第２の実施形態に係る浮き６０の一部断面分解図である。
【００３８】
本実施形態に係る浮き６０が上記実施形態に係る浮き２０と異なるところは、内径調整部材６１の構造及び内径調整部材６１の姿勢変化を許容する姿勢変化機構６２の構造である。なお、その他の構成については、上記実施形態に係る浮き２０と同様である。
【００３９】
具体的には、内径調整部材６１は、例えば樹脂により構成され、円柱状に形成されている。内径調整部材６１には、その軸方向Ｎと直交する方向（すなわち径方向）に沿って貫通孔６３、６４が設けられている。本実施形態では、貫通孔６３の内径寸法は小さく、上記浮止具３４（図２参照）はこの貫通孔６３を挿通することができないようになっている。また、貫通孔６４の内径寸法は、上記浮止具３４が挿通することができるように、外形寸法が大きく設定されている。なお、本実施形態では、貫通孔６３と貫通孔６４とは、互いに角度θ（例えば９０°）で交差するように設けられている。もっとも、これら貫通孔６３、６４のほかにさらに内径の異なる他の貫通孔が設けられていてもよいことは勿論である。
【００４０】
一方、浮き本体２２側には、この内径調整部材６１が嵌め込まれる空間６５が設けられている。この空間６５は、浮力調整用錘２６の内壁面により区画され、内径調整部材６１の外形形状に対応して略円柱状に形成されている。このとき、空間６５を区画する内壁面の寸法と内径調整部材６１の外形寸法との間には、所定のはめあい公差が設定されている。したがって、上記第１の実施形態と同様に、内径調整部材６１は、空間６５に嵌め込まれた状態で、浮き本体２２との間で所定の摩擦力が発生し、これにより、内径調整部材６１は、所定の保持力で保持される。内径調整部材６１は、その軸方向Ｎが糸挿通孔２１の長手方向に直交する方向に沿うように上記空間６５内に嵌め込まれる。これにより、釣人は、浮き本体２２の下面部分を手で擦るようにすれば、内径調整部材６１を上記軸方向Ｎを回転中心として回転させることができ、上記貫通孔６３、６４のうちの所望の一方を糸挿通孔２１と連通させることができる。
【００４１】
このように、本実施形態に係る浮き６０では、内径調整部材６１が上記空間６５内で回転されることによって、内径の異なる貫通孔６３、６４のうち釣人が所望するものと糸挿通孔２１とが連通するので、その結果、糸挿通孔２１の内径が調整されることになる。しかも、この場合、内径調整部材６１と空間６５との間には所定の摩擦力が生じるから、内径調整部材６１は、釣人が意図的に回転させようとしない限り回転しない。したがって、実釣において、釣人は、浮止具３４の着脱作業を要することなく仕掛けの態様を半遊動タイプ又は全遊動タイプに自在に変更することができる。
【００４２】
また、図７は、本実施形態の変形例に係る浮き６０の断面図である。
この変形例に係る浮き６０では、内径調整部材６１の両端面に係止突起６６が突設されている。そして、浮力調整用錘２６の対向壁面には、係合凹部６７が設けられており、内径調整部材６１が空間６５に嵌め込まれた状態で上記係止突起６６が係合凹部６７に嵌合する。係止突起６６は、例えば半球状に形成され、係合凹部６７は、係止突起６６の形状に対応して、その内壁面形状が半球状に形成されている。
【００４３】
本変形例では、内径調整部材６１が空間６５に嵌め込まれた状態で、上記係止突起６６が上記係合凹部６７と嵌合するから、より一層確実に内径調整部材６１が浮き本体２２に位置決めされる。このため、内径調整部材６１が円筒状に形成されることによって、実釣において内径調整部材６１が釣人の意図しない回転を起こす可能性があるが、上記係止突起６６及び係合凹部６７が設けられることによって、かかる内径調整部材６１の回転が確実に防止されるという利点がある。
【産業上の利用可能性】
【００４４】
本発明は、釣りの際に使用される浮きに適用され得る。
【図面の簡単な説明】
【００４５】
【図１】図１は、本発明の第１の実施形態に係る浮きの一部断面分解図である。
【図２】図２は、本発明の第１の実施形態に係る浮きの断面図である。
【図３】図３は、本発明の第１の実施形態に係る浮きの断面図である。
【図４】図４は、本発明の第１の実施形態の第１の変形例に係る浮きの断面図である。
【図５】図５は、本発明の第１の実施形態の第２の変形例に係る浮きの一部断面分解図である。
【図６】図６は、本発明の第２の実施形態に係る浮きの一部断面分解図である。
【図７】図７は、本発明の第２の実施形態に係る浮き断面図である。
【図８】図８は、従来の一般的な浮き釣りの仕掛けによる釣りの様子を示す模式図である。
【図９】図９は、従来の一般的な浮き釣りの仕掛けによる釣りの様子を示す模式図である。
【符号の説明】
【００４６】
２０・・・浮き
２１・・・糸挿通孔
２２・・・浮き本体
２３・・・内径調整部材
２４・・・貫通孔
２５・・・貫通孔
２６・・・貫通孔
２７・・・姿勢変化機構
２９・・・浮力調整用錘
３０・・・孔
３１・・・空間
３２・・・孔
３３・・・孔
３４・・・浮止具
３５・・・釣糸
４０・・・浮き
４１・・・空間
４２・・・下部
５０・・・浮き
５１・・・内径調整部材
６０・・・浮き
６１・・・内径調整部材
６２・・・姿勢変化機構
６３・・・貫通孔
６４・・・貫通孔
６５・・・空間
６６・・・係止突起
６７・・・係合凹部
【図１】
2005168403.tif 000003
【図２】
2005168403.tif 000004
【図３】
2005168403.tif 000005
【図４】
2005168403.tif 000006
【図５】
2005168403.tif 000007
【図６】
2005168403.tif 000008
【図７】
2005168403.tif 000009
【図８】
2005168403.tif 000010
【図９】
2005168403.tif 000011